(57)【要約】【課題】開閉扉の間に雨除けシートを配置し、商品等が濡れることを防止する。【解決手段】両側に棒体１３ａ、１３ｂを取り付けた雨除けシート１１をガイド部６に沿って拡げ、棒体１３ａ、１３ｂに結びつけた紐体１４ａ、１４ｂの先端の第１のフック部１５ａ、１５ｂを、開口部３に設けた第１の吊環部７に係止し、紐体１４ａ、１４ｂに挿通した第２のフック部１６ａ、１６ｂを、開閉扉４、５に設けた第２の吊環部８ａ、８ｂに係止する。  開閉扉４、５を９０度開くと、紐体１４ａ、１４ｂは第２の吊環部８ａ、８ｂにより第２のフック部１６ａ、１６ｂを介して引っ張られる。これにより、棒体１３ａ、１３ｂは開閉扉４、５側に引き寄せられ、持ち上げられることにより、雨除けシート１１は共に吊り上げられ、棒体１３ａ、１３ｂ間に宙吊りに張り拡げられ、雨除けシート１１上の雨水は下辺から落下する。【選択図】図５
2020090244.tif 000002
【特許請求の範囲】
【請求項１】
トラックの収納庫の後方の開口部の一対の開閉扉の間に張り拡げて使用するトラック開閉扉用雨除け装置であって、
雨除けシートと、該雨除けシートに取り付け該雨除けシートを張り拡げる２本の紐体とから成り、
前記雨除けシートは前記開口部の上端に沿ってカーテン状に開閉自在とされ、前記雨除けシートの対向する両側辺に沿って棒体が取り付けられ、
前記両側辺の棒体の中間部には前記紐体がそれぞれ取り付けられ、前記紐体の先端にはそれぞれ前記開口部の上部に係止する第１のフック部が設けられていると共に、前記紐体の中間部にはそれぞれ前記開閉扉の上部に係止する第２のフック部が前記紐体に対して移動自在に挿通されていることを特徴とするトラック開閉扉用雨除け装置。
【請求項２】
前記紐体の前記第１のフック部を前記トラックの開口部の中央上部に設けられた第１の吊環部に係止し、前記紐体にそれぞれ挿通した前記第２のフック部を前記開閉扉の開放端上部の近傍の内側にそれぞれ設けられた第２の吊環部に係止し、前記開閉扉を開けることにより前記紐体が引かれて前記棒体が引き上げられ、前記雨除けシートは前記開閉扉間で張り拡げられることを特徴とする請求項１に記載のトラック開閉扉用雨除け装置。
【請求項３】
前記開閉扉は観音開き状としたことを特徴とする請求項１又は２に記載のトラック開閉扉用雨除け装置。
【請求項４】
前記雨除けシートは柔軟性を有する合成樹脂製、布製としたことを特徴とする請求項１〜３の何れか１項に記載のトラック開閉扉用雨除け装置。
【請求項５】
前記雨除けシートの上端は前記開口部の上部に水平方向に配置されたガイド部に、吊具を介して取り付けられていることを特徴とする請求項１〜４の何れか１項に記載のトラック開閉扉用雨除け装置。
【請求項６】
前記棒体は合成樹脂製又は木製とされていることを特徴とする請求項１〜５の何れか１項に記載のトラック開閉扉用雨除け装置。
【発明の詳細な説明】
【技術分野】
【０００１】
本発明は、商品運搬用トラックや引越用トラックの後方の開閉扉に取り付けるトラック開閉扉用雨除け装置に関するものである。
【背景技術】
【０００２】
後方に収納庫の開閉扉を有する商品運搬用トラックにおいては、開放された開閉扉の近くに運搬台車を寄せて収納庫に対し商品の積み卸し作業を行う。この場合に、雨が降っていると商品やその梱包が濡れてしまい、商品価値が損われることがある。これは引越用トラックにおいても同様である。
【０００３】
特許文献１には、降雨中でも商品を濡らすことなく、積み卸しが可能なトラックの雨除け装置が開示されている。この雨除け装置は、トラックの格納庫の後方開口部の上端に一対の折畳みアームを設け、モータの駆動により折畳みアームを伸張して、折畳みアーム間に張られたテント生地が中空に張り出す構造となっている。このため、降雨中に商品の積み卸し作業を行っても、張り出したテント生地により商品が濡れることはない。
【先行技術文献】
【特許文献】
【０００４】
【特許文献１】実開平４−１１７２３号公報
【特許文献２】実開昭６３−１４１０２１号公報
【発明の概要】
【発明が解決しようとする課題】
【０００５】
しかし、特許文献１の雨除け装置のように、テント生地を張り出す構造にすると、折畳みアーム部等を新たに取り付けなければならない。また、モータ、電源等の設備も必要になるため設備費用が高額となる。
【０００６】
更に、開閉扉の開閉に伴って、モータのオンオフを行わねばならず、テント生地の出し入れに時間がかかる。また、モータ等の機械部がトラック上端の高所に設置されるため、故障対応や保守作業がし難いという問題もある。
【０００７】
また、特許文献２には、自動車のドアを開けると、巻き取られていたシート部材が座席とドアとの間に拡開されて、運転手が乗降時に雨に濡れることを防止できる防止カバーが開示されている。しかし、この防止カバーはドアを閉止した状態におけるシート部材の収納機構が複雑となる。
【０００８】
本発明の目的は、上述の課題を解消し、観音開き状の開閉扉の開放時に、雨除けシートを簡便に収納庫の開口部と開閉扉間に張り拡げ、降雨時に商品等に雨水がかかることを防止するトラック開閉扉用雨除け装置を提供することにある。
【課題を解決するための手段】
【０００９】
上記目的を達成するための本発明に係るトラック開閉扉用雨除け装置は、トラックの収納庫の後方の開口部の一対の開閉扉の間に張り拡げて使用するトラック開閉扉用雨除け装置であって、  雨除けシートと、該雨除けシートに取り付け該雨除けシートを張り拡げる２本の紐体とから成り、  前記雨除けシートは前記開口部の上端に沿ってカーテン状に開閉自在とされ、前記雨除けシートの対向する両側辺に沿って棒体が取り付けられ、前記両側辺の棒体の中間部には前記紐体がそれぞれ取り付けられ、前記紐体の先端にはそれぞれ前記開口部の上部に係止する第１のフック部が設けられていると共に、前記紐体の中間部にはそれぞれ前記開閉扉の上部に係止する第２のフック部が前記紐体に対して移動自在に挿通されていることを特徴とする。
【発明の効果】
【００１０】
本発明に係るトラック開閉扉用雨除け装置によれば、収納庫の開口部と開閉扉の間に簡便に雨除けシートを張り拡げられ、雨天時における商品等の積み卸し作業に際しても、商品等が濡れることを防止できる。また、電力を必要とせず、安価に取り付け可能であると共に、トラックの収納庫や開閉扉を改造せずに、容易に後付けで設置することが可能である。
【図面の簡単な説明】
【００１１】
【図１】開閉扉を閉じた状態のトラックの斜視図である。
【図２】開閉扉を開いて雨除け装置を使用中のトラックの斜視図である。
【図３】使用前の雨除け装置の斜視図である。
【図４】開閉扉を中間まで開けた状態の雨除け装置の斜視図である。
【図５】開閉扉を開いた状態の雨除け装置の斜視図である。
【発明を実施するための形態】
【００１２】
本発明を図示の実施例に基づいて詳細に説明する。
図１は開閉扉を閉じた状態のトラックの斜視図、図２はトラック後方の開閉扉間で雨除け装置１０を使用している状態のトラックの斜視図である。
【００１３】
トラック１は長方形状の収納庫２を有し、この収納庫２の後方の開口部３には観音開き状に開閉する一対の開閉扉４、５が設けられている。蝶番により取り付けられた左右の開閉扉４、５は、開口部３の両側に沿った縦方向の軸部を中心に、それぞれ外側に開閉できるようにされている。この雨除け装置１０は、雨天において、図２に示すように開閉扉４、５間に拡開して使用される。
【００１４】
図３に示すように、収納庫２の開口部３の上部に水平方向に配置されたレールや吊紐から成るガイド部６に沿って、雨除けシート１１が複数個の吊具１２を介して、カーテン状に左右に開閉自在に吊り下げられている。なお、ガイド部６は簡便には、日用品として使用されている突っ張り棒等が使用できる。雨除けシート１１は晴天時などの不使用時には、片側に寄せて、積み卸し作業に支障がない位置にしておくことが好ましく、その時には、雨除けシート１１を束ねて紐などで縛っておくことが好適である。
【００１５】
雨除けシート１１は、防水性を備えた合成樹脂シートや布製の柔軟性を持つシート材料が使用でき、適宜の材料を採用することができる。収納庫の開口部３の大きさは、例えば縦１８０ｃｍ、横１８０ｃｍであれば、雨除けシート１１の大きさは、例えば縦１４０ｃｍ、横１８０ｃｍとされている。
【００１６】
雨除けシート１１の対向する両側辺には、雨除けシート１１の縦の長さと同じ長さの棒体１３ａ、１３ｂが縦方向に取り付けられている。棒体１３ａ、１３ｂの中間部には、合成樹脂製や植物製のロープから成る紐体１４ａ、１４ｂがそれぞれ結び付けられている。紐体１４ａ、１４ｂの自由端である先端には、第１のフック部１５ａ、１５ｂがそれぞれ取り付けられ、更に紐体１４ａ、１４ｂの中間部には、第２のフック部１６ａ、１６ｂが紐体１４ａ、１４ｂに対してそれぞれ移動自在に挿通されている。
【００１７】
また、棒体１３ａ、１３ｂの長さは、例えば雨除けシート１１の縦の長さと同じ１４０ｃｍとされており、棒体１３ａ、１３ｂの紐体１４ａ、１４ｂを結び付ける位置は、棒体１３ａ、１３ｂの上端から例えば６０ｃｍとされている。棒体１３ａ、１３ｂは曲がり難い合成樹脂製や木製が使用できるが、グラスファイバポールなどが好適である。
【００１８】
また、開口部３の上部中央には、第１のフック部１５ａ、１５ｂが係止される第１の吊環部７が設けられ、開閉扉４、５の開放端付近の内側上部には、第２のフック部１６ａ、１６ｂがそれぞれ係止される第２の吊環部８ａ、８ｂが設けられている。
【００１９】
なお、第１のフック部１５ａ、１５ｂ、第２のフック部１６ａ、１６ｂは金属製や合成樹脂製などとされ、人による係止や取り外しは容易でも、自然には外れ難い構造のものが好ましく、例えばカラビナのように、開閉可能なばね付のパーツが付設されていることが好適である。また、第２のフック部１６ａ、１６ｂは、紐体１４ａ、１４ｂに挿通される部分と、第２の吊環部８ａ、８ｂに係止する部分とに分かれている。なお、吊環部７、８ａ、８ｂは金属製、合成樹脂製或いは布製であってもよい。
【００２０】
この雨除け装置１０の使用に際しては、開閉扉４、５を稍々開いた状態で、操作者が収納庫２内に入り、片側に束ねて寄せられている雨除けシート１１をガイド部６に沿って拡げる。次に、紐体１４ａ、１４ｂの先端の第１のフック部１５ａ、１５ｂを、開口部３に設けられた第１の吊環部７に係止する。続いて、紐体１４ａ、１４ｂに挿通されている第２のフック部１６ａ、１６ｂを、紐体１４ａ、１４ｂに対して移動させながら、開閉扉４、５に設けられた第２の吊環部８ａ、８ｂにそれぞれ係止する。
【００２１】
この状態において、紐体１４ａ、１４ｂはそれぞれ棒体１３ａ、１３ｂの取付部から、第２のフック部１６ａ、１６ｂを介して、開閉扉４、５に設けた第２の吊環部８ａ、８ｂを経由して第１のフック部１５ａ、１５ｂにより開口部３に設けた第１の吊環部７に至る。開閉扉４、５が閉止に近い状態であれば、第１の吊環部７と第２の吊環部８ａ、８ｂとの間の距離は小さく、実質的には紐体１４ａ、１４ｂの長さは、棒体１３ａ、１３ｂの結び位置から第２の吊環部８ａ、８ｂまで距離が大部分であり、この状態における紐体１４ａ、１４ｂの長さは十分なゆとりがある。
【００２２】
このような準備をしてから、図４に示すように開閉扉４、５を矢印方向の外側に開くと、第１の吊環部７と第２の吊環部８ａとの間隔、第１の吊環部７と第２の吊環部８ｂとの間隔が広がり、紐体１４ａ、１４ｂはこれらの間に引き出される。棒体１３ａ、１３ｂは紐体１４ａ、１４ｂの張力によりそれぞれの開閉扉４、５側に引き寄せられ、更に棒体１３ａ、１３ｂは上端を中心として、開閉扉４、５に沿って先端が稍々下方に傾斜した状態に持ち上げられる。
【００２３】
更に、図５に示すように開閉扉４、５を９０度まで外側に開くと、雨除けシート１１は両側の棒体１３ａ、１３ｂにより完全に吊り上げられ、雨除けシート１１は棒体１３ａ、１３ｂ間、つまり開閉扉４、５間に宙吊りとなって中空に張り拡げられ、上辺は開口部３のガイド部６により支持され、下辺は自重によって垂れ下がることになる。
【００２４】
雨除けシート１１が全体的に下方に傾斜することにより、雨除けシート１１上の雨粒は下辺側に流れ落ちる。なお、雨除けシート１１の傾斜は、紐体１４ａ、１４ｂの長さを適宜に変えることにより、調整することができる。
【００２５】
なお、雨除けシート１１の上辺を吊り下げるガイド部６を、収納庫２の開口部３の内部の天井部に取り付ければ、雨除けシート１１を張り拡げた場合に、その上辺は開口部３の内側に吊り下げられることになり、張り拡げた場合に、開口部３と雨除けシート１１の上辺との隙間から雨水が落下することを防止することができる。
【００２６】
このように、収納庫２の開口部３に紐体１４ａ、１４ｂにより操作する雨除け装置１０を取り付けることで、雨除けシート１１を開口部３と開閉扉４、５の間に簡便に張り拡げることができるので、雨天時における商品等の積み卸し作業に際しても、商品等が濡れることを防止できる。
【００２７】
使用が終了し開閉扉４、５を閉じると、紐体１４ａ、１４ｂは緩むので、第１のフック部１５ａ、１５ｂ、第２のフック部１６ａ、１６ｂをそれぞれ吊環部７、８ａ、８ｂから取り外し、雨除けシート１１をガイド部６に沿って片側に引き寄せておけばよい。
【００２８】
なお、次の積み卸し場所でも雨が降っていることが分かっていれば、フック部１５ａ、１５ｂ、１６ａ、１６ｂを吊環部７、８ａ、８ｂから外すことなく、そのまま開閉扉４、５を閉止すればよい。移動後に、そのまま開閉扉４、５を開ければ、雨除けシート１１を再び張り拡げることができる。
【００２９】
また、晴天時や曇天時においては、フック部１５ａ、１５ｂ、１６ａ、１６ｂを吊環部７、８ａ、８ｂから外し、雨除けシート１１を片側に寄せておけば、商品等の積み卸し作業に支障が生ずることはない。
【００３０】
このトラック開閉扉用の雨除け装置１０は電力を必要とせず、安価に取り付け可能であると共に、トラック１の収納庫２や開閉扉４、５を改造せずに、後付けで容易に設置することが可能である。
【符号の説明】
【００３１】
１  トラック
２  収納庫
３  開口部
４、５  開閉扉
６  ガイド部
７、８ａ、８ｂ  吊環部
１０  雨除け装置
１１  雨除けシート
１３ａ、１３ｂ  棒体
１４ａ、１４ｂ  紐体
１５ａ、１５ｂ、１６ａ、１６ｂ  フック部
【図１】
2020090244.tif 000003
【図２】
2020090244.tif 000004
【図３】
2020090244.tif 000005
【図４】
2020090244.tif 000006
【図５】
2020090244.tif 000007